(57)【要約】【課題】  縦置き型および横置き型の両カウンターウエイトに対して、上部旋回体のウエイト取付部を共通化する。【解決手段】  下部走行体上に搭載された上部旋回体３の後部４に、上下方向に複数段のウエイト１１〜１３を積層して構成される横置き型カウンターウエイト１０または前後方向に複数段のウエイトを積層して構成される縦置き型カウンターウエイトが取付けられる建設機械におけるカウンターウエイト取付構造において、上部旋回体３の後部４にウエイト取付部８が設けられる一方、横置き型カウンターウエイトの基礎ウエイト１１と縦置き型カウンターウエイトの基礎ウエイトに、上記ウエイト取付部８に取付けられる被取付部（係止ピン１４）が設けられている。【選択図】      図２
2006056621.tif 000002
【特許請求の範囲】
【請求項１】
下部走行体上に搭載された上部旋回体の後部に、上下方向に複数段のウエイトを積層して構成される横置き型、または前後方向に複数段のウエイトを積層して構成される縦置き型のカウンターウエイトが取付けられる建設機械におけるカウンターウエイト取付構造において、
上部旋回体の後部に上記横置き型及び縦置き型両カウンターウエイトに共用されるウエイト取付部が設けられる一方、上記横置き型及び縦置き型両カウンターウエイトにおける取付けの基礎となる基礎ウエイトに、上記ウエイト取付部に取付けられる被取付部が設けられたことを特徴とする建設機械におけるカウンターウエイト取付構造。
【請求項２】
請求項１に記載の建設機械におけるカウンターウエイト取付構造において、前記ウエイト取付部は凹部を有し、一方の被取付部はその凹部に引っ掛けられる水平な係止ピンを有することを特徴とする建設機械におけるカウンターウエイト取付構造。
【請求項３】
請求項１または２に記載の建設機械におけるカウンターウエイト取付構造において、縦置き型カウンターウエイトは、最前段のウエイトを基礎ウエイトとしてこれに他のウエイトが積層連結されて構成され、上記最前段のウエイトに被取付部が設けられたことを特徴とする建設機械におけるカウンターウエイト取付構造。
【請求項４】
請求項３に記載の建設機械におけるカウンターウエイト取付構造において、最前段のウエイトには積層用凹部が設けられ、後続ウエイトにはその積層用凹部に引っ掛けられる水平な積層ピンが設けられていることを特徴とする建設機械におけるカウンターウエイト取付構造。
【請求項５】
請求項１または２に記載の建設機械におけるカウンターウエイト取付構造において、横置き型カウンターウエイトは、最下段のウエイトを基礎ウエイトとしてこれに他のウエイトが積層連結されて構成され、上記最下段のウエイトに被取付部が設けられたことを特徴とする建設機械におけるカウンターウエイト取付構造。
【発明の詳細な説明】
【技術分野】
【０００１】
本発明は、例えばクレーンやショベル等の建設機械において、上部旋回体の後部にカウンターウエイトを取付けるためのカウンターウエイトの取付構造に関する。
【背景技術】
【０００２】
上述したクレーンやショベルのベースマシンは、下部走行体の上に、図８に示すように上部旋回体１０２が搭載されて構成され、上部旋回体１０２の後部にカウンターウエイト１０３が装着される。
【０００３】
このカウンターウエイト１０３は、図示のように前後方向に積層される複数（図例では３つ。以下、この例で説明する）のウエイト１０４、１０５、１０６からなり、このウエイト１０４〜１０６が、前後方向に貫通する孔１０７にボルト（図示せず）を通すことによって上部旋回体後部に取付けられる（特許文献１参照）。
【０００４】
一方、特許文献２に示されているように、複数のウエイトを上下方向に積層して構成される横置きタイプ（以下、これとの対比で前述の図８に示すものを縦置きタイプという）のカウンターウエイトもある。
【０００５】
この横置きタイプのカウンターウエイトにおいては、たとえば上部旋回体の後部に設けたウエイト受け台の上に複数のウエイトを載せた状態でボルト固定される。
【特許文献１】実用新案登録番号第２５４２３８５号
【特許文献２】特開２００２−２８４４８４号公報
【発明の開示】
【発明が解決しようとする課題】
【０００６】
このように従来は、縦置き型と横置き型の２種類のカウンターウエイトについて、別々の取付構造を採用しているため、搭載されるウエイトタイプに応じて上部旋回体の後部に異なる構造のウエイト取付部を設けなければならなかった。このため、ウエイト取付部を形成するための上部旋回体に対する加工コストが高くつくだけでなく、縦置き型から横置き型またはその逆への転用ができないという欠点があった。
【０００７】
なお、縦置き型と横置き型のいずれにも適用できるように上部旋回体に予め２種類のウエイト取付部を設けておくことが考えられるが、どちらか一方を使用しないためコスト面での無駄が大きく、得策でない。
【０００８】
本発明は、このような従来技術の課題を解決するためになされたもので、縦置き型および横置き型の両カウンターウエイトに対して、上部旋回体のウエイト取付部を共通化することができる建設機械におけるカウンターウエイト取付構造を提供することを目的とする。
【課題を解決するための手段】
【０００９】
請求項１の建設機械におけるカウンターウエイト取付構造は、下部走行体上に搭載された上部旋回体の後部に、上下方向に複数段のウエイトを積層して構成される横置き型、または前後方向に複数段のウエイトを積層して構成される縦置き型のカウンターウエイトが取付けられる建設機械におけるカウンターウエイト取付構造において、上部旋回体の後部に上記横置き型及び縦置き型両カウンターウエイトに共用されるウエイト取付部が設けられる一方、上記横置き型及び縦置き型両カウンターウエイトにおける取付けの基礎となる基礎ウエイトに、上記ウエイト取付部に取付けられる被取付部が設けられたことを特徴とする。
【００１０】
請求項２の建設機械におけるカウンターウエイト取付構造は、請求項１に記載の建設機械におけるカウンターウエイト取付構造において、前記ウエイト取付部は凹部を有し、一方の被取付部はその凹部に引っ掛けられる水平な係止ピンを有することを特徴とする。
【００１１】
請求項３の建設機械におけるカウンターウエイト取付構造は、請求項１または２に記載の建設機械におけるカウンターウエイト取付構造において、縦置き型カウンターウエイトは、最前段のウエイトを基礎ウエイトとしてこれに他のウエイトが積層連結されて構成され、上記最前段のウエイトに被取付部が設けられたことを特徴とする。
【００１２】
請求項４の建設機械におけるカウンターウエイト取付構造は、請求項３に記載の建設機械におけるカウンターウエイト取付構造において、最前段のウエイトには積層用凹部が設けられ、後続ウエイトにはその積層用凹部に引っ掛けられる水平な積層ピンが設けられていることを特徴とする。
【００１３】
請求項５の建設機械におけるカウンターウエイト取付構造は、請求項１または２に記載の建設機械におけるカウンターウエイト取付構造において、横置き型カウンターウエイトは、最下段のウエイトを基礎ウエイトとしてこれに他のウエイトが積層連結されて構成され、上記最下段のウエイトに被取付部が設けられたことを特徴とする。
【発明の効果】
【００１４】
請求項１の発明による場合には、横置き型カウンターウエイトの基礎ウエイトに設けた被取付部をウエイト取付部に係止すると、横置き型カウンターウエイトを上部旋回体の後部に取付けることができ、一方、同じウエイト取付部に縦置き型カウンターウエイトの基礎ウエイトに設けた被取付部を係止すると、縦置き型カウンターウエイトを上部旋回体の後部に取付けることができる。従って、縦置き型および横置き型の両カウンターウエイトに対して、上部旋回体のウエイト取付部を共通化することができる。
【００１５】
請求項２の発明による場合には、カウンターウエイト側の水平な係止ピンを上部旋回体側の凹部に引っ掛けるだけで、横置き型縦置き型に拘わらず簡単にカウンターウエイトを上部旋回体後部に取付けることができる。
【００１６】
請求項３の発明による場合には、縦置き型カウンターウエイトにおいて、基礎ウエイトとしての最前段のウエイトに他のウエイトを積層連結させるので、上部旋回体のウエイト取付部に取付けた最前段のウエイトに他のウエイトを一つずつ積層する取付方式と、最前段のウエイトに他のウエイトの全てを積層し、その全体を一括して上部旋回体のウエイト取付部に取付ける取付方式との両方に対応することができる。
【００１７】
請求項４の発明による場合には、縦置き型カウンターウエイトにおいて、最前段のウエイトの積層用凹部に他のウエイトの積層ピンを引っ掛けると、複数のウエイトの積層が可能となる。
【００１８】
請求項５の発明による場合には、横置き型カウンターウエイトにおいて、基礎ウエイトとしての最下段のウエイトに他のウエイトを積層連結させるので、上部旋回体のウエイト取付部に取付けた最下段のウエイトに他のウエイトを一つずつ積層する取付方式と、最下段のウエイトに他のウエイトの全てを積層し、その全体を一括して上部旋回体のウエイト取付部に取付ける取付方式との両方に対応することができる。
【発明を実施するための最良の形態】
【００１９】
以下に、本発明を具体的に説明する。
【００２０】
図１は本発明に係るカウンターウエイトの取付構造を適用するクレーンを示す外観斜視図であり、図２はそのクレーンに横置き型カウンターウエイトを取付けた状態を示す側面図、図３は図２の平面図である。また、図４は上記クレーンに縦置き型カウンターウエイトを取付けた状態を示す側面図、図５は図４の平面図であり、図６はクレーンの上部旋回体の後部を示す側面図である。
【００２１】
このクレーン１は、下部走行体２の上に上部旋回体３が旋回可能に搭載され、上部旋回体３の後部４に、図２及び図３に示す横置き型カウンターウエイト１０と、図４及び図５に示す縦置き型カウンターウエイト２０が交換可能に取付けられるように構成されている。
【００２２】
上部旋回体３は、幅方向中央部の旋回フレーム５と左右両側のデッキ部６とを有し、上部旋回体３の後部４は、旋回フレーム５の後部がデッキ部６よりも後側に突出した凸状になっている。旋回フレーム５は、左右一対の側板７を有し、その両側板７の後側には、ウエイト取付部８が設けられており、そのウエイト取付部８は各側板７に上向きに開口した凹部９を有する。この凹部９に、上記横置き型カウンターウエイト１０又は縦置き型カウンターウエイト２０が着脱可能に取付けられる。
【００２３】
横置き型カウンターウエイト１０は、複数、図示例では３つのウエイト１１、１２、１３を上下方向に積層して構成され、各ウエイト１１〜１３は、上部旋回体３の後部４の凸形状に対応した平面形状、つまり幅方向両端部が中央部よりも前側に突出した凹状に形成されている。最下段のウエイト１１は、上記ウエイト取付部８への取付けの基礎となる基礎ウエイトとして用いられるもので、その最下段のウエイト１１の幅方向中央部における上面側には、上記一対の凹部９に係止される被取付部として、本実施形態では左右一対の係止ピン１４が水平に設けられており、各係止ピン１４は、最下段のウエイト１１の上面から前向きに延びるブラケット１５に支持されている。
【００２４】
また、各ウエイト１１〜１３は、図７に示すように相上下するウエイトにおける下側のウエイトの上面に設けた凸部１６が、上側のウエイトの下面に設けた凹部１７に入ることで、水平方向の位置が揃えられる。また、その状態で、全ウエイト１１〜１３は、上下方向に貫通するボルト１８により連結される。
【００２５】
一方、縦置き型カウンターウエイト２０は、複数、図示例では３つのウエイト２１、２２、２３を前後方向に積層して構成され、上記ウエイト取付部８への取付けの基礎となる基礎ウエイトとして用いられる最前段のウエイト２１の前面は、上部旋回体３の後部４の凸形状に対応した平面形状、つまり幅方向両端部が中央部よりも前側に突出した凹状に形成されている。
【００２６】
最前段のウエイト２１の幅方向中央部における前面側には、上記一対の凹部９に係止される被取付部として、本実施形態では左右一対の係止ピン２４が水平に設けられており、各係止ピン２４は、最前段のウエイト２１の前面から前向きに延びるブラケット２５に支持されている。
【００２７】
また、各ウエイト２１〜２３は、相前後するウエイトにおける前側のウエイトの後面に設けた山形凸部２６が、後側のウエイトの前面に設けた山形凹部２７に入ることで、水平方向の位置が揃えられる。
【００２８】
また、最前段ウエイト２１の上面には、２つの後続ウエイト２２、２３をそれぞれ積層けるための積層用凹部３０ａ、３１ａを有するブラケット３０、３１が設けられている。一方、ウエイト２２と２３には、積層用凹部３０ａ、３１ａに引っ掛けて係止される水平な積層ピン２２ａ、２３ａを支持するブラケット２２ｂ、２３ｂが設けられている。なお、上記積層用凹部３１ａは、本実施形態では前後に２つ設けられていて、中間のウエイト２２が図示のように存在する場合には後側のものが係止に用いられ、ウエイト２２を省略する場合には前側のものが係止に用いられる。
【００２９】
次に、このように構成されたカウンターウエイトの上部旋回体への取付動作の一例につき説明する。ここでは、上部旋回体に取付ける前に、複数段のウエイトを積層する場合を例に挙げる。
【００３０】
まず、複数のウエイトを積層する。例えば、横置き型カウンターウエイト１０の場合には、凸部１６を凹部１７に入れて位置合わせし、かつボルト１８にて連結した状態でウエイト１１〜１３を上下に積層する。一方、縦置き型カウンターウエイト２０の場合には、積層用凹部３０ａ、３１ａに積層ピン２２ａ、２３ａを引っ掛けて係止し、かつ山形凸部２６と山形凹部２７の位置を合わせた状態でウエイト２１〜２３を前後方向に積層する。
【００３１】
次に、横置き型カウンターウエイト１０または縦置き型カウンターウエイト２０を上部旋回体３の後部４に取付ける。つまり、横置き型カウンターウエイト１０の場合には、上部旋回体３の後部４に設けたウエイト取付部８の凹部９に、最下段のウエイト（基礎ウエイト）１１に設けた係止ピン１４を係止させる。一方、縦置き型カウンターウエイト２０の場合には、ウエイト取付部８の凹部９に、最前段のウエイト（基礎ウエイト）２１に設けた係止ピン２４を係止させる。
【００３２】
したがって、本実施形態による場合には、横置き型および縦置き型の両カウンターウエイト１０、２０に対して、上部旋回体３のウエイト取付部８を共通化することができる。
【００３３】
なお、上述した取付動作例では、複数のウエイトを積層したカウンターウエイトを一括して上部旋回体後部に取付けるようにしているが、これに限らず、横置き型カウンターウエイト及び縦置き型カウンターウエイトの各ウエイトを一つずつ上部旋回体後部に取付けるようにすることも可能である。特に、縦置き型カウンターウエイトにおいては、上述したように最前段のウエイトの積層用凹部に後続ウエイトの積層ピンを引っ掛けると、複数のウエイトの積層連結が可能な構成としているので、両方の取付方式に対応することができる。
【００３４】
また、上述した実施形態では横置き型カウンターウエイト及び縦置き型カウンターウエイトのウエイト個数が３個の場合を例に挙げているが、本発明はこれに限らない。例えば、横置き型カウンターウエイト及び縦置き型カウンターウエイトのウエイト個数が１個又は２個以上の任意個数である場合にも同様に適用することができる。
【００３５】
更に、上述した実施形態では上部旋回体の後端部のウエイト取付部を凹部とし、横置き型カウンターウエイトにおける最下段ウエイト及び縦置き型カウンターウエイトにおける最前段ウエイトの被取付部を水平な係止ピンとしているが、本発明はこれに限らない、例えば、上部旋回体の後端部のウエイト取付部を水平な係止ピンとし、横置き型カウンターウエイトにおける最下段ウエイト及び縦置き型カウンターウエイトにおける最前段ウエイトの被取付部を下方に向けて開口した凹部としてもよい。
【図面の簡単な説明】
【００３６】
【図１】本発明に係るカウンターウエイト取付構造を適用するクレーンを示す外観斜視図である。
【図２】図１のクレーンに横置き型カウンターウエイトを取付けた状態を示す側面図である。
【図３】図２の平面図である。
【図４】図１のクレーンに縦置き型カウンターウエイトを取付けた状態を示す側面図である。
【図５】図４の平面図である。
【図６】図１のクレーンの上部旋回体の後部を示す側面図である。
【図７】図３のＡ−Ａ線による断面図である。
【図８】特許文献１の上部旋回体の構成を示す分解斜視図である。
【符号の説明】
【００３７】
１    クレーン
２    下部走行体
３    上部旋回体
４    後部
８    ウエイト取付部
９    凹部
１０    横置き型カウンターウエイト
２０    縦置き型カウンターウエイト
１１、１２、１３、２１、２２、２３    ウエイト
１４、２４    係止ピン（被取付部）
２２ａ、２３ａ    積層ピン
３０ａ、３１ａ    積層用凹部
【図１】
2006056621.tif 000003
【図２】
2006056621.tif 000004
【図３】
2006056621.tif 000005
【図４】
2006056621.tif 000006
【図５】
2006056621.tif 000007
【図６】
2006056621.tif 000008
【図７】
2006056621.tif 000009
【図８】
2006056621.tif 000010